(57)【要約】【課題】床面が不陸である場合の施工作業を改善可能なサイホン排水システムを提供する。【解決手段】サイホン排水システム１０は、水廻り器具１６からの排水を横方向に流す横引き管４２と、横引き管４２よりも排水方向下流側に配置され、鉛直方向に延びる竪管４４と、横引き管４２と竪管４４とを接続する湾曲部２６Ｃと、備え、横引き管４２の排水方向上流側には、床スラブ１４から離間した無勾配の第１無勾配部４６が設けられ、横引き管４２の排水方向下流側には、排水方向下流側に向けて下がる勾配を有する勾配部４８が設けられている。【選択図】図１
2018066217.tif 000002
【特許請求の範囲】
【請求項１】
水廻り器具からの排水を横方向に流す横引き管と、
前記横引き管よりも排水方向下流側に配置され、鉛直方向に延びる竪管と、
前記横引き管と前記竪管とを接続する落し込み部と、
備え、
前記横引き管の排水方向上流側には、床面から離間した無勾配の第１無勾配部が設けられ、
前記横引き管の排水方向下流側には、排水方向下流側に向けて下がる勾配を有する勾配部が設けられている、サイホン排水システム。
【請求項２】
前記勾配部は、前記水廻り器具よりも前記竪管に近い方に設けられている、請求項１に記載のサイホン排水システム。
【請求項３】
前記勾配部は、前記横引き管の前記落し込み部側の端部から上流側へ前記横引き管の全長の２０％以内の範囲内に設けられている、請求項２に記載のサイホン排水システム。
【請求項４】
前記横引き管には、前記勾配部の下流側に無勾配の第２無勾配部が設けられている、請求項１〜請求項３の何れか１項に記載のサイホン排水システム。
【請求項５】
前記第１無勾配部は、床面に配置した支持部材によって前記床面から離間されている、請求項１〜請求項４の何れか１項に記載のサイホン排水システム。
【請求項６】
前記勾配部の勾配は、１／５０〜１／２０００である，請求項１〜請求項５の何れか１項に記載のサイホン排水システム。
【発明の詳細な説明】
【技術分野】
【０００１】
本発明は、サイホン排水システムに関する。
【背景技術】
【０００２】
サイホン排水システムとして、例えば、特許文献１に開示のサイホン排水システムが知られている。サイホン排水システムは、床面上に配置され、水廻り器具からの排水を横方向に流す横引き管と、横引き管の下流側に鉛直方向に配置されてサイホン力を発生する竪管と、横引き管と竪管とを接続する落しこみ部とを含んで構成されるサイホン排水管を備えている。サイホン排水システムでは、水廻り器具から排水が排出されると、最初に横引き管が満流となり、次いで竪管内が満流状態となり、竪管内で満流となった排水が落下することでサイホン力を発生し、効率的な排水が行われるようになっている。
【先行技術文献】
【特許文献】
【０００３】
【特許文献１】特開２０１２−２１９５２６号公報
【発明の概要】
【発明が解決しようとする課題】
【０００４】
しかしながら、床面が不陸であると、言い換えれば、一例として、床面の上に配置した横引き管が下流方向に向かって下方に傾斜していると、水平にした場合に比較して横引き管内が満流になるまで時間を要する。その結果、竪管内が満流になるまで時間を要し、竪管がサイホン力を発生するまでに時間を要する場合がある。
【０００５】
これは、横引き管の上流側に勾配が付いていると、水廻り器具から排水が流れ始めた際に、配管内の上流側において、空気が上側、排水が下側となって、配管内の空気が上流側に向けて逆流してしまうため、横引き管の上流側が満流になるまで時間を要してしまうからである。一方、横引き管の上流側が無勾配である場合には、配管内の空気は、水廻り器具から排出されて下流に向けて流れる排水と共に下流側へ流れるため、横引き管の上流側は短時間で満流になる。
従来のサイホン排水システムでは、横引き管を床面の上に直接配置していたため、不陸の床面を水平にする施工作業、言い換えれば不陸調整が煩雑であり、改善の余地があった。
【０００６】
本発明は上記事実を考慮し、床面が不陸である場合の施工作業を改善可能なサイホン排水システムの提供を目的とする。
【課題を解決するための手段】
【０００７】
請求項１に記載のサイホン排水システムは、水廻り器具からの排水を横方向に流す横引き管と、前記横引き管よりも排水方向下流側に配置され、鉛直方向に延びる竪管と、前記横引き管と前記竪管とを接続する落し込み部と、備え、前記横引き管の排水方向上流側には、床面から離間した無勾配の第１無勾配部が設けられ、前記横引き管の排水方向下流側には、排水方向下流側に向けて下がる勾配を有する勾配部が設けられている。
【０００８】
請求項１に記載のサイホン排水システムでは、横引き管の排水方向上流側に床面から離間した第１無勾配部が配置され、排水方向下流側に勾配部が配置されているため、上流側に勾配部が設けられて下流側に無勾配部が設けられた場合に比較して横引き管内が満流になるまでの時間を短くすることができ、横引き管全体を水平にした場合と同様に、サイホン力を早く発生させることができる。言い換えれば、請求項１に記載のサイホン排水システムは、横引き管全体を水平にしたサイホン排水システムと同様にサイホンの起動を早くできる。
【０００９】
サイホンの起動を早くするため、従来のサイホン排水システムでは、横引き管を配置する床面が不陸の場合には、横引き管の全長に渡って水平をとるため施工作業が煩雑となっていた。しかしながら、請求項１に記載のサイホン排水システムでは、横引き管の排水方向下流側に勾配部が設けられており、横引き管の全長に渡って水平をとる必要がないので、横引き管を配置する施工作業を簡略化できる。なお、勾配部は、横引き管の下流側において、排水方向下流側に向けて下がるように単に勾配を付けるだけでよく、途中で勾配の大きさが変化してもサイホンの起動には殆ど影響がないため、水平をとる場合に比較して施工作業は簡単になる。
【００１０】
請求項２に記載の発明は、請求項１に記載のサイホン排水システムにおいて、前記勾配部は、前記水廻り器具よりも前記竪管に近い方に設けられている。
【００１１】
請求項２に記載のサイホン排水システムでは、勾配部は、横引き管の下流側に設けられるが、下流側の中でも竪管に近い方に設けた場合と、水廻り器具側に設けた場合とを比較すると、竪管に近い方に設けた方が、サイホンの起動を早くすることができる。
【００１２】
請求項３に記載の発明は、請求項２に記載のサイホン排水システムにおいて、前記勾配部は、前記横引き管の前記落し込み部側の端部から上流側へ前記横引き管の全長の２０％以内の範囲内に設けられている。
【００１３】
請求項３に記載のサイホン排水システムでは、勾配部を横引き管の落し込み部側の端部から上流側へ横引き管の全長の２０％以内の範囲内に設けることで、これ以外の範囲内に設けるよりサイホンの起動をより早くすることができる。
【００１４】
請求項４に記載の発明は、請求項１〜請求項３の何れか１項に記載のサイホン排水システムにおいて、前記横引き管には、前記勾配部の下流側に無勾配の第２無勾配部が設けられている。
【００１５】
サイホン排水システムに用いる落し込み部として、例えば、市販のＬ字形状の配管継手を用いることができる。Ｌ字形状の配管継手は、円弧部の両側に直線部分が設けられており、一方の直線部分と他方の直線部分とのなす角度は９０°となっている。したがって、一方の直線部分を鉛直方向に延びる竪管に接続すると、他方の直線部分は水平に配置されることになる。このようなＬ字形状の配管継手を落し込み部として使用する場合、勾配部の下流側に位置するＬ字形状の配管継手の他方の直線部分は無勾配、即ち、第２無勾配部となる。
【００１６】
請求項５に記載の発明は、請求項１〜請求項４の何れか１項に記載のサイホン排水システムにおいて、前記第１無勾配部は、床面に配置した支持部材によって前記床面から離間されている。
【００１７】
請求項５に記載のサイホン排水システムでは、第１無勾配部を床面に配置した支持部材によって床面から離間させているので、支持部材の高さを調整するという簡単な方法で、床面の不陸の影響を遮断でき、床面に対して煩雑な不陸の調整を行うことなく横引き管を設置することができる。
【００１８】
請求項６に記載の発明は，請求項１〜請求項５の何れか１項に記載のサイホン排水システムにおいて、前記勾配部の勾配は、１／５０〜１／２０００である。 
【００１９】
勾配部の勾配を、１／５０〜１／２０００とすることで、横引き管を迅速に満流にできると共に、サイホン力を迅速に発生させることができる。勾配部は、排水方向下流側へ向けて下がるようになっていればよいため、１／５０〜１／２０００の範囲内であれば途中で勾配が変化していても構わない。なお、勾配が１／５０よりも大きくなると、横引き管内を満流にするのに時間を要し、サイホンの起動が遅くなる虞がある。また、勾配が１／５０よりも大きくなると、横引き管の高さ（第１無勾配部の位置）が高くなり、床下高さ（一例として、コンクリートの床スラブと部屋の床材との間の鉛直方向の寸法）を高くする必要が生じる。
一方、勾配が１／２０００よりも小さくなると、殆ど水平に近くなるので、横引き管を水平にするための施工作業に手間が掛る。
【発明の効果】
【００２０】
以上説明したように本発明のサイホン排水システムによれば、床面が不陸である場合の施工作業を改善することができる、という優れた効果を有する。
【図面の簡単な説明】
【００２１】
【図１】本発明の第１の実施形態に係るサイホン排水システムを示す側面図である。
【図２】本発明の第１の実施形態に係るサイホン排水システムの要部を示す側面図である。
【発明を実施するための形態】
【００２２】
［第１の実施形態］
図１にしたがって、本発明に係るサイホン排水システムの第１の実施形態について説明する。図１には、本実施形態に係るサイホン排水システム１０の全体構成の概略が示されている。本実施形態に係るサイホン排水システム１０は、サイホン力を利用して水廻り器具からの排水を効率よく排出する排水システムである。
【００２３】
図１に示すように、本実施形態のサイホン排水システム１０は、複数階（図１では、所定の階のみ図示）で構成された集合住宅に用いられる。集合住宅は、排水を下方へ流す排水立て管１２を備えている。排水立て管１２は、集合住宅の上下方向（鉛直方向）に延設され、集合住宅の各階のコンクリート製の床スラブ１４を貫いている。なお、本発明に係るサイホン排水システムは、集合住宅に好適に用いられるが、集合住宅以外の戸建て住宅や工場等にも用いることができる。
【００２４】
集合住宅の各階の各戸には、床材１７の上に本発明の水廻り器具の一例としての水廻り器具１６が設けられており、この水廻り器具１６には、排水方向下流側に排水トラップ１８が接続されている。排水トラップ１８の排水方向下流側には、Ｌ字状に曲げられた第１Ｌ字配管部材２０が配置されている。第１Ｌ字配管部材２０は、排水トラップ１８に接続されて鉛直方向に延びる鉛直部２０Ａ、床スラブ１４の上に水平方向に配置されて水平方向に延びる水平部２０Ｂ、及び鉛直部２０Ａと水平部２０Ｂとを繋ぐ湾曲部２０Ｃを含んで構成されている。第１Ｌ字配管部材２０は、一例として硬質塩化ビニール樹脂等の合成樹脂で形成された市販品（例えば、エルボとも呼ばれる）を用いることができる。
【００２５】
第１Ｌ字配管部材２０の排水方向下流側には、横方向に延びる横引き管部材２２が配置されている。本実施形態の横引き管部材２２には、ＪＩＳＫ６７７８及びＪＩＳＫ６７９２に定められる呼び径が２０の可撓性を有する合成樹脂製の配管が用いられている。横引き管部材２２に用いる合成樹脂製の配管としては、例えば、ポリブテン管を用いることができるが、他の種類の合成樹脂製の配管を用いることもできる。また、横引き管部材２２は、呼び径が２０のものに限らず２５のものを用いてもよい。なお、横方向とは、鉛直方向に対して９０°の方向である水平方向に限らず、鉛直方向に対して９０°±５°の範囲のことを指す。９０°＋５°とは、排水方向下流側が上流側よりも上方となるように傾斜していることを意味し、９０°−５°とは、下流側が上流側よりも下方となるように傾斜していることを意味する。
【００２６】
横引き管部材２２の排水方向下流側には、Ｌ字状に曲げられた第２Ｌ字配管部材２６が配置されている。第２Ｌ字配管部材２６は、床スラブ１４の上に配置されて水平方向に延びる水平部２６Ａ、鉛直方向に延びる鉛直部２６Ｂ、及び水平部２６Ａと鉛直部２６Ｂとを繋ぐ湾曲部２６Ｃを含んで構成されている。第２Ｌ字配管部材２６は、一例として硬質塩化ビニール樹脂等の合成樹脂で形成された市販品（例えば、エルボとも呼ばれる）を用いることができる。
【００２７】
（横引き管部材の支持構造）
横引き管部材２２は、水廻り器具１６側に勾配の付けられていない第１水平部２２Ａが設けられ、水平部２２Ａの水廻り器具１６側とは反対側、言い換えれば下流側に、上流側から下流側に向けて下がるように勾配の付けられた傾斜部２２Ｂが設けられ、傾斜部２２Ｂの下流側に勾配の付けられていない第２水平部２２Ｃが設けられている。
【００２８】
ここで、傾斜部２２Ｂの勾配は１／５０〜１／２０００の範囲内とすることが好ましく、上限は１／２００とすることがより好ましく、１／５００とすることがより一層好ましく、１／１０００とすることが更に好ましい。なお、傾斜部２２Ｂは、勾配が１／５０〜１／２０００の範囲内であれば一定の勾配でなくてもよく、変化していてもよい。なお、本実施形態において、「勾配が付けられていない、または無勾配」とは、水平、もしくは勾配が１／２０００よりも小さい場合を意味する。
【００２９】
横引き管部材２２は、第１水平部２２Ａが、継手２８を介して第１Ｌ字配管部材２０の水平部２０Ｂに接続されており、第２水平部２２Ｃが継手３０を介して第２Ｌ字配管部材２６の水平部２６Ａに接続されている。
【００３０】
横引き管部材２２の長手方向中間部、本実施形態では、第１水平部２２Ａの複数個所が、床スラブ１４に立設された複数の支持部材３２によって水平に支持されており、これによって、第１水平部２２Ａは床スラブ１４から上方に離間されている。本実施形態では、横引き管部材２２の傾斜部２２Ｂは、支持部材３２で支持されていないが、支持部材３２で支持されていてもよい。
【００３１】
支持部材３２は、横引き管部材２２を床スラブ１４から離間させて支持可能なものであれば特に構造は問わず、配管を支持するための市販品を用いることができる。また、支持部材３２としては、床スラブ１４を支持する高さ、言い換えれば、床スラブ１４から横引き管部材２２までの高さ寸法をネジ等で調整可能なものを用いることが好ましい。
【００３２】
第２Ｌ字配管部材２６の排水方向下流側には、上下方向に延びる竪管部材３４が配置されている。竪管部材３４は、継手３６を介して第２Ｌ字配管部材２６の鉛直部２６Ｂに接続されている。竪管部材３４の排水方向下流側の端部は、排水立て管１２の中間部に取り付けられた合流継手３８に接続されている。なお、本実施形態の竪管部材３４には、横引き管部材２２と同一の配管が用いられている。
【００３３】
本実施形態において、床スラブ１４の上側に配置されている配管部分、具体的には第１Ｌ字配管部材２０の水平部２０Ｂ、横引き管部材２２、第２Ｌ字配管部材２６の水平部２６Ａによってサイホン排水管４０の横引き管４２（本発明の横引き管の一例）が構成され、第２Ｌ字配管部材２６の鉛直部２６Ｂ、及び竪管部材３４によってサイホン排水管４０の竪管４４（本発明の竪管の一例）が構成されている。また、第２Ｌ字配管部材２６の湾曲部２６Ｃが本発明の落し込み部に相当している。なお、横引き管４２の全長は、例えば、１４ｍまで延ばすことができる。
【００３４】
また、本実施形態のサイホン排水管４０の横引き管４２においては、第１Ｌ字配管部材２０の水平部２０Ｂ、及び横引き管部材２２の水平部２６Ａが第１無勾配部４６（本発明の第１無勾配部の一例）とされている。また、横引き管部材２２の傾斜部２２Ｂが勾配部４８（本発明の勾配部の一例）とされている。そして、横引き管部材２２の第２水平部２２Ｃ、及び第２Ｌ字配管部材２６の水平部２６Ａが第２無勾配部５０（本発明の第２無勾配部の一例）とされている。なお、本実施形態のサイホン排水システム１０では、横引き管部材２２を、第１無勾配部４６と勾配部４８との間、及び勾配部４８と第２無勾配部５０との間で曲げている。
【００３５】
勾配部４８は、横引き管４２の全長（図１の寸法Ｌ）の半分の位置Ｐよりも下流側に配置することが好ましい。なお、本実施形態の横引き管４２における下流側とは、横引き管４２の全長の半分の位置Ｐを起点として竪管４４側のことを指し、本実施形態の横引き管４２における上流側とは、横引き管４２の全長の半分の位置Ｐを起点として水廻り器具１６側のことを指す。なお、勾配部４８は、第１無勾配部４６、及び第２無勾配部５０と対比すると、有勾配部ともいえる。
【００３６】
（作用、効果）
本実施形態のサイホン排水システム１０によれば、水廻り器具１６から排出された排水は、排水トラップ１８、第１Ｌ字配管部材２０、サイホン排水管４０、及び合流継手３８を経て排水立て管１２へ合流する。
【００３７】
ここで、水廻り器具１６から排水がサイホン排水管４０に流入すると、最初は横引き管４２の上流が排水で満水となり、その後、満水状態を維持した排水が下流に向けて流れて竪管４４に流れ込む。満水となった排水が重力により竪管４４内を落下すると、竪管４４内にサイホン力が発生する。そして横引き管４２の内部の排水は、サイホン力によって竪管４４に向かって吸引されて流下し、効率的に排水が行われる。
【００３８】
また、本実施形態のサイホン排水システム１０では、横引き管４２の排水方向上流側に床スラブ１４から離間して無勾配とされた第１無勾配部４６が配置され、その下流側に勾配部４８が配置されているので、迅速にサイホン力を発生させることができる。
なお、勾配部４８が横引き管４２の全長の半分の位置よりも上流側に配置されていると、全長の半分の位置よりも下流側に配置されている場合に比較して横引き管内が満流になるまで時間を要し、サイホンの起動が遅くなる。
【００３９】
本実施形態のサイホン排水システム１０では、横引き管部材２２の水平部２６Ａを、支持部材３２で床スラブ１４から上方に離間させているので、仮に床スラブ１４の上面が不陸であっても、床スラブ１４の不陸の影響を受けずに水平に配置すること、言い換えれば無勾配にすることができる。
【００４０】
なお、仮に床スラブ１４の上面が不陸であった場合、床スラブ１４の上に可撓性の横引き管部材２２を直接配置すると、横引き管部材２２が床スラブ１４の傾斜に合わせて傾斜する。このため、従来のサイホン排水システムの施工方法では、横引き管部材を水平に配置する場合に、スラブの上面が水平となるように煩雑な不陸調整を行っていた。
【００４１】
本実施形態のサイホン排水システム１０では、横引き管部材２２の一部に勾配部４８（傾斜部２２Ｂ）が設けられて、横引き管４２の全体が無勾配とされておらず、横引き管４２の無勾配とされた部分、言い換えれば、第１無勾配部４６は、コンクリート製の床スラブ１４の上に立設した支持部材３２によって支持する構成として、コンクリート製の床スラブ１４の不陸を調整する必要がないので、配管に関わる施工作業を簡単にすることができる。
【００４２】
なお、横引き管４２の一部に勾配部４８を設ける場合、横引き管４２の内部を迅速に満流にするためには可能な限り竪管４４側に設けることが好ましい。例えば、勾配部４８は、横引き管４２の下流側の端部から上流側へ、横引き管４２の全長Ｌの２０％の位置までの間に設けることが好ましい。一例として、横引き管４２の全長Ｌが１４ｍであった場合には、横引き管４２の下流側の端部から上流側へ２.８ｍまでの間に勾配部４８を設けることが好ましい。２０％を超えると上流側からの流れが速くなってしまい、管内が満流になるのが遅くなる方向になるためである。
【００４３】
［第２の実施形態］
次に、本発明の第２の実施形態に係るサイホン排水システム１０を図２にしたがって説明する。なお、第１の実施形態と同一構成には同一符号を付し、その説明は省略する。        
【００４４】
図２に示すように、第２の実施形態に係るサイホン排水システム１０では、第２Ｌ字配管部材２６と横引き管部材２２との間に、Ｔ字継手５２が設けられている。Ｔ字継手５２は、第２Ｌ字配管部材２６と横引き管部材２２とを連通する本管部５２Ａと、本管部５２Ａの中間部分から側方に向けて突出する枝管部５２Ｂとを供えている。
【００４５】
本実施形態では、本管部５２Ａは水平に配置されて横引き管４２の第２無勾配部５０の一部を構成している。また、枝管部５２Ｂは、上方に向けられており、通常時、枝管部５２Ｂの端部は、着脱可能な蓋５４で塞がれている。
【００４６】
本実施形態のサイホン排水システム１０では、例えば、横引き管４２や竪管４４の内部を清掃する場合に、Ｔ字継手５２から蓋５４を取り外し、枝管部５２Ｂから洗浄用のホース等を横引き管４２や竪管４４に差し込んで、横引き管４２や竪管４４の内部を清掃することが可能となる。
【００４７】
（試験例）
本発明のサイホン排水システムの効果を確かめるために、本発明の適用されたサイホン排水システムと、比較例に係るサイホン排水システムとを試作し、排水試験を行った。  
試験に用いたサイホン排水システムの仕様を以下に説明する。
比較例１：横引き管に勾配が付けられていないサイホン排水システム。
比較例２：横引き管の上流側に勾配をつけ、下流側に勾配を付けていないサイホン排水システム。  
実施例：横引き管の下流側に勾配をつけ、上流側に勾配をつけていないサイホン排水システム。
試験は、水廻り器具から連続して排水を行い、サイホン力の発生状況を比較した。
横引き管の全長：１４ｍ
竪管の全長：３ｍ
横引き管部材、竪管部材の管材の呼び径：２０
【表１】
2018066217.tif 000003
【００４８】
上記表１において、サイホンが発生した時間の１回目とは、水廻り器具から排水を始めてから、竪管にサイホンが発生するまでの時間を表している。サイホンが発生したことは、落し込み部（第２Ｌ字配管部材２６）に圧力計を接続し、落し込み部内が負圧になったことで判断した。
【００４９】
ここで、排水を流し始め、管内が満流になるとサイホンが発生し、竪管が上流側の排水を吸引するが、竪管が吸引する量が水廻り器具から排水する量を上回ると、サイホン排水管内の満流状態が部分的に無くなってサイホンの発生が一旦途切れ、その後、再び管内が満流となってサイホンが発生して竪管が上流側の排水を吸引する。即ち、サイホンが断続的に繰り返し発生する。
上記表１において、平均間隔（秒）とは、サイホンが断続して発生した際のサイホンの発生間隔（秒）の平均値を表している。
【００５０】
試験の結果、排水量が比較的多い場合（８Ｌ／分）では、比較例１、２、及び本発明の適用された実施例１ともに、サイホンを繰り返し発生させることができた。また、実施例１は、比較例２に比較して１回目のサイホンを早く発生できることが分かる。
一方、排水量が比較的少ない場合（６Ｌ／分）では、実施例１のサイホン排水システムは、勾配を付けていない比較例１と同様に、サイホンを続けて発生させることができたが、上流側にのみ勾配を付けた比較例２のサイホン排水システムでは、１回だけサイホン力は発生したが、その後、管内が満流にならず、結果としてサイホン力が連続して発生しなかった（したがって、表１の平均間隔は記載していない。）。
【００５１】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５２】
上記実施形態では、横引き管部材２２に、可撓性を有する合成樹脂製の配管を用いたが、可撓性を有さない硬質の塩化ビニル管を用いてもよい。なお、横引き管部材２２の全長が短く、横引き管部材２２が撓まなければ横引き管部材２２を支持部材３２で支持しなくてもよい
【００５３】
上記実施形態では、第１Ｌ字配管部材２０と横引き管部材２２とが継手２８を介して接続されており、横引き管部材２２には水廻り器具１６からの排水が直接流入するようになっていたが、横引き管部材２２の上流側に、水廻り器具１６からの排水を一時的に貯留したり、複数の水廻り器具からの排水を一時的に貯留して流出させる貯留槽を設け、該貯留槽からの排水を横引き管部材２２に流入させるようにしてもよい。
【００５４】
水廻り器具１６としては、例えば、洗面器、洗濯機、キッチのシンク、風呂、食器洗い機等を上げることができるが、水を排水するものであれば特に種類は問わず、他のものであってもよい。
【符号の説明】
【００５５】
１０…サイホン排水システム、１４…スラブ（床面）、１６…水廻り器具、２２Ｃ…第２水平部（第２無勾配部）、２６Ａ…水平部（第２無勾配部）、２６Ｃ…湾曲部（落し込み部）、３２…支持部材、４２…横引き管、４４…竪管、４６…第１無勾配部、４８…勾配部、５０…第２無勾配部
【図１】
2018066217.tif 000004
【図２】
2018066217.tif 000005